(57)【要約】【課題】  点字を読解できない者をはじめとする視覚障害者に対し、その周囲の状況を素早く伝達することができるとともに、視覚障害者の不安感を取り除き、危険の予知に寄与することができるようにする。【解決手段】  本考案の視覚障害者用の案内部材１は、視覚障害者に対しその周囲にある立体物又は空間の状況を案内するためのものである。前記立体物又は空間の状況を表現したシンボル４を触覚で認識可能に立体的に形成してなるシンボル部３を備えている。シンボル部３は、シンボル４が凸部、凹部、穴、又は切欠で表現されている。【選択図】      図１
0003112483.tif 000002
【実用新案登録請求の範囲】
【請求項１】
視覚障害者に対しその周囲にある立体物又は空間の状況を案内するための視覚障害者用の案内部材であって、
前記立体物又は空間の状況を表現したシンボルを触覚で認識可能に立体的に形成してなるシンボル部をベース部の表面に備えた視覚障害者用の案内部材。
【請求項２】
前記シンボル部は、前記シンボルが凸部、凹部、穴、又は切欠により立体的に形成された請求項１記載の視覚障害者用の案内部材。
【請求項３】
前記シンボルは、シンボル認識時における指の移動方向の直交方向のサイズが、指の腹で一度に触れることができる程度に設定された請求項１又は２記載の視覚障害者用の案内部材。
【請求項４】
前記シンボル部は、ベース部に施された機械加工、プレス加工、成形加工、エッチング処理、又は三次元印刷により形成された請求項１〜３のいずれか一項に記載の視覚障害者用の案内部材。
【請求項５】
前記シンボル部は、ベース部に立体的要素を貼り付けることにより形成された請求項１〜３のいずれか一項に記載の視覚障害者用の案内部材。
【請求項６】
前記立体物又は空間の状況を表現した点字を形成してなる点字部が並設された請求項１〜５のいずれか一項に記載の視覚障害者用の案内部材。
【請求項７】
前記立体物又は空間の状況を表現した晴眼者向け文字又は図形を視覚で認識可能に表示してなる視覚表示部が並設された請求項１〜５のいずれか一項に記載の視覚障害者用の案内部材。
【請求項８】
前記立体物又は空間の状況を表現した点字を形成してなる点字部と、
前記立体物又は空間の状況を表現した晴眼者向け文字又は図形を表示してなる視覚表示部とが並設された請求項１〜５のいずれか一項に記載の視覚障害者用の案内部材。
【請求項９】
前記ベース部は、手摺の表面に配設可能な板状に形成され、
前記シンボル部は、前記手摺に配設されたときに該手摺の上側面又は該上側面よりも反手摺利用者側に位置するように設けられた請求項１〜５のいずれか一項に記載の視覚障害者用の案内部材。
【請求項１０】
前記ベース部は、手摺の表面に配設可能な板状に形成され、
前記シンボル部は、前記手摺に配設されたときに該手摺の上側面又は該上側面よりも反手摺利用者側に位置するように設けられ、
前記点字部は、該シンボル部よりも反手摺利用者側に位置するように設けられた請求項６記載の視覚障害者用の案内部材。
【請求項１１】
前記ベース部は、手摺の表面に配設可能な板状に形成され、
前記シンボル部は、前記手摺に配設されたときに該手摺の上側面又は該上側面よりも反手摺利用者側に位置するように設けられ、
前記視覚表示部は、該シンボル部よりも手摺利用者側に位置するように設けられた請求項７記載の視覚障害者用の案内部材。
【請求項１２】
前記ベース部は、手摺の表面に配設可能な板状に形成され、
前記シンボル部は、前記手摺に配設されたときに該手摺の上側面又は該上側面よりも反手摺利用者側に位置するように設けられ、
前記点字部は、該シンボル部よりも反手摺利用者側に位置するように設けられ、
前記視覚表示部は、該シンボル部よりも手摺利用者側に位置するように設けられた請求項８記載の視覚障害者用の案内部材。
【考案の詳細な説明】
【技術分野】
【０００１】
本考案は、視覚障害者に対しその周囲にある立体物又は空間の状況を案内するための視覚障害者用の案内部材に関するものである。
【背景技術】
【０００２】
従来の視覚障害者用の案内部材としては、点字が設けられた点字案内板がある。この点字案内板は、例えば施設における階段や廊下の手摺に設置され、その周囲にある立体物又は空間の状況を記述した点字が表面に形成されてなっている。
【０００３】
また、床面に配設され、表面に視覚障害者誘導用の凹凸が形成された点字ブロック（視覚障害者誘導用ブロック）がある。この点字ブロックは、視覚障害者を目的の場所まで誘導するためのものと、視覚障害者の注意を促すためのものとがある。視覚障害者は、点字ブロックの凹凸を足の裏や杖で確認しながら歩行する。
【考案の開示】
【考案が解決しようとする課題】
【０００４】
ところが、点字を読解できる視覚障害者は、視覚障害者全体の半数以下と言われている。このため、点字を読解できず、点字案内板に頼ることができない多くの視覚障害者は、目的の場所に行くまでの廊下や部屋の配置、床形状等の状況把握が困難で、危険を十分に予知することができず、常に不安感を持って行動しているという課題がある。
【０００５】
また、点字案内板に形成された点字による案内は、点字を読解できる人でも立ち止まり、一文字ずつ手で触って読み取って理解する必要があり、その読解に時間を要すという課題がある。このため、この読解中においては、階段や狭い廊下等では他の人の通行の妨げになって、視覚障害者に心理的な苦痛をもたらすことがある。
【０００６】
また、点字ブロックは、単純に構成されているため視覚障害者のほぼ万人が理解できるが、通路の交わりや段差の存在等、伝達可能な情報が限られており、例えば、建具形状等の情報を伝達することはできない。また、視覚障害者の注意を促すための点字ブロックは、注意すべき対象の直前に配設されているため、例えば、通路の交わりも事前には判らず、視覚障害者が他者の干渉を受けやすい。
【課題を解決するための手段】
【０００７】
上記課題を解決するために、第１の考案の視覚障害者用の案内部材は、
視覚障害者に対しその周囲にある立体物又は空間の状況を案内するための視覚障害者用の案内部材であって、
前記立体物又は空間の状況を表現したシンボルを触覚で認識可能に立体的に形成してなるシンボル部をベース部の表面に備えている。
【０００８】
前記立体物の状況としては、特に限定されないが、ドアの存在・形状・構造、出入口の存在・形状、階段の存在・形状・構造、床の形状等を例示する。前記空間の状況としては、特に限定されないが、部屋の形状・配置や廊下の形状・配置等を例示する。前記ベース部の材質としては、特に限定されないが、プラスチック、金属（アルミニウム、真鍮、銅等）、紙、布、木、石、ガラス等を例示する。
【０００９】
第２の考案の視覚障害者用の案内部材としては、前記第１の考案において、
前記シンボル部は、前記シンボルが凸部、凹部、穴、又は切欠により立体的に形成された態様を例示する。
【００１０】
第３の考案の視覚障害者用の案内部材としては、前記第１又は２の考案において、
前記シンボルは、シンボル認識時における指の移動方向の直交方向のサイズが、指の腹で一度に触れることができる程度に設定された態様を例示する。
【００１１】
第４の考案の視覚障害者用の案内部材としては、前記第１〜３のいずれかの考案において、
前記シンボル部は、ベース部に施された機械加工、プレス加工、成形加工、エッチング処理、又は三次元印刷により形成された態様を例示する。
【００１２】
第５の考案の視覚障害者用の案内部材としては、前記第１〜４のいずれかの考案において、
前記シンボル部は、ベース部に立体的要素を貼り付けることにより形成された態様を例示する。
【００１３】
前記立体的要素としては、立体的に形成された部材からなるものであれば、特に限定されない。
【００１４】
第６の考案の視覚障害者用の案内部材としては、前記第１〜５のいずれかの考案において、
前記立体物又は空間の状況を表現した点字を形成してなる点字部が並設された態様を例示する。
【００１５】
第７の考案の視覚障害者用の案内部材としては、前記第１〜５のいずれかの考案において、
前記立体物又は空間の状況を表現した晴眼者（視覚健常者）向け文字又は図形を視覚で認識可能に表示してなる視覚表示部が並設された態様を例示する。
【００１６】
第８の考案の視覚障害者用の案内部材としては、前記第１〜５のいずれかの考案において、
前記立体物又は空間の状況を表現した点字を形成してなる点字部と、
前記立体物又は空間の状況を表現した晴眼者向け文字又は図形を表示してなる視覚表示部とが並設された態様を例示する。
【００１７】
第９の考案の視覚障害者用の案内部材としては、前記第１〜５のいずれかの考案において、
前記ベース部は、手摺の表面に配設可能な板状に形成され、
前記シンボル部は、前記手摺に配設されたときに該手摺の上側面又は該上側面よりも反手摺利用者側に位置するように設けられた態様を例示する。
【００１８】
第１０の考案の視覚障害者用の案内部材としては、前記第６の考案において、
前記ベース部は、手摺の表面に配設可能な板状に形成され、
前記シンボル部は、前記手摺に配設されたときに該手摺の上側面又は該上側面よりも反手摺利用者側に位置するように設けられ、
前記点字部は、該シンボル部よりも反手摺利用者側に位置するように設けられた態様を例示する。
【００１９】
第１１の考案の視覚障害者用の案内部材としては、前記第７の考案において、
前記ベース部は、手摺の表面に配設可能な板状に形成され、
前記シンボル部は、前記手摺に配設されたときに該手摺の上側面又は該上側面よりも反手摺利用者側に位置するように設けられ、
前記視覚表示部は、該シンボル部よりも手摺利用者側に位置するように設けられた態様を例示する。
【００２０】
第１２の考案の視覚障害者用の案内部材としては、前記第８の考案において、
前記ベース部は、手摺の表面に配設可能な板状に形成され、
前記シンボル部は、前記手摺に配設されたときに該手摺の上側面又は該上側面よりも反手摺利用者側に位置するように設けられ、
前記点字部は、該シンボル部よりも反手摺利用者側に位置するように設けられ、
前記視覚表示部は、該シンボル部よりも手摺利用者側に位置するように設けられた態様を例示する。
【００２１】
これらの構成によれば、前記シンボル部は、前記立体物又は空間の状況を表現したシンボルを触覚で認識可能に立体的に形成してなっているので、素早く読み取ることができるとともに、点字を読解できない視覚障害者でも簡単に理解できるようにすることが可能になる。また、例えばドアの開き方や蝶番の位置（左開き、右開き）等の点字では表現し難い状況（環境）を視覚障害者に触覚で伝えることができる。このように、本考案の視覚障害者用の案内部材は、点字を読解できない者をはじめとする視覚障害者に対し、その周囲の状況を伝達できる新たな情報伝達手段である。
【考案の効果】
【００２２】
本考案に係る視覚障害者用の案内部材によれば、点字を読解できない者をはじめとする視覚障害者に対し、その周囲の状況を素早く伝達することができるとともに、視覚障害者の不安感を取り除き、危険の予知に寄与することができるという優れた効果を奏する。
【考案を実施するための最良の形態】
【００２３】
図１〜図９は本考案を具体化した一実施形態の視覚障害者用の案内部材１を示している。本例の案内部材１は、図１及び図２に示すように、視覚障害者に対しその周囲にある立体物又は空間の状況を案内するためのものであり、板状に形成されたベース部２にシンボル部３、点字部５、及び視覚表示部６が形成されてなっており、図３に示すように壁８等に取り付けられた手摺９に配設されて使用される。なお、本例の案内部材１は、シンボル部３、点字部５、及び視覚表示部６が形成されているが、言うまでもなく点字部５又は視覚表示部６のいずれかを省いた態様や、点字部５及び視覚表示部６の両方を省いた態様とすることもできる。
【００２４】
ベース部２は、手摺９の表面に配設可能に可撓性を有する板状に形成されており、手摺９に接着剤、両面テープ、釘、ネジ等の固定手段により固定されるようになっている。本例のベース部２の材質としては、金属（アルミニウム、真鍮、銅等）とすることが、施工性及び耐久性の点で好ましい。このベース部２には、プレス加工により形成された凸部により、シンボル部３、点字部５が形成される。
【００２５】
シンボル部３は、前記立体物又は空間の状況を表現したシンボル４を触覚で認識可能に立体的に形成してなっている。シンボル４は、シンボル認識時における指の移動方向の直交方向（本例では、図１における上下方向）のサイズＬが、指の腹で一度に触れることができる程度に設定されていることが好ましく、約１５〜２０ｍｍとすることを例示する。また、同横の長さは、情報量に応じて適宜設定することができる。また、同高さは、指の腹で触って凹凸が認識できる程度の高さとすることが好ましく、約１〜２ｍｍとすることを例示する。シンボル部３は、手摺９に配設されたときに該手摺９の上側面又は該上側面よりも反手摺利用者側に位置するように設けられている。こうすることにより、視覚障害者は手首を返すことなく自然な状態で手摺９に触れると、その指先の近傍にシンボル部３が位置しており、該シンボル部３に表現されたシンボル４を触覚で迅速かつ容易に認識することができる。
【００２６】
シンボル４で表現する前記立体物の状況としては、特に限定されないが、ドアの存在・形状・構造、出入口の存在・形状、階段の存在・形状・構造、床の形状等を例示する。また、シンボル４で表現する空間の状況としては、特に限定されないが、部屋の形状・配置や廊下の形状・配置等を例示する。
【００２７】
以下、シンボル４の具体例を図４〜図９を参照しながら説明する。図４〜図６が第一の具体例を示しており、これらのシンボル４は、線で囲まれた部分が凸状に隆起されてなっている。また、図７〜図９が第二の具体例を示しており、これらのシンボル４は、その線又は点が凸状に隆起されてなっている。なお、これらのシンボル４は、同図において、下側が手摺９における手摺利用者側となり、左右方向が手摺９の長さ方向（手摺利用者の進行方向と平行）に向くように配設され、手摺利用者が左側から右側へ指を移動させることにより、同図における右側（手摺利用者の進行方向前方）の状況を表現したシンボル４を認識するようになっている。手摺利用者が右側から左側へ指を移動させることにより、同図における左側の状況を表現したシンボル４については、基本的に図４〜図９を左右反転した形状となるだけなので、説明を省く。
【００２８】
（１）図４は各種のドアのシンボル４の第一の具体例を示しており、同図（ａ）はドアに対峙したときに左釣元（左側に蝶番等の回動中心がある。）で壁の奥側へ開く片開きドア、同図（ｂ）は同対峙したときに右釣元（右側に回動中心がある。）で壁の奥側へ開く片開きドア、同図（ｃ）は同対峙したときに左右に回動中心があり壁の奥側へ開く両開きドア、同図（ｄ）は同対峙したときに壁の奥側にある右引きのスライドドア、同図（ｅ）は同対峙したときに壁の奥側にある左引きのスライドドア、同図（ｆ）は同対峙したときに左釣元で壁の手前側へ開く片開きドア、同図（ｇ）は同対峙したときに右釣元で壁の手前側へ開く片開きドア、同図（ｈ）は同対峙したときに左右に回動中心があり壁の手前側へ開く両開きドア、同図（ｉ）は同対峙したときに壁の手前側にある左引きのスライドドア、同図（ｊ）は同対峙したときに壁の手前側にある右引きのスライドドアをそれぞれ示している。図７はドアのシンボル４の第二の具体例を示しており、図７（ａ）〜（ｊ）は、図４（ａ）〜（ｊ）にそれぞれ対応している。
【００２９】
（２）図５は各種廊下のシンボル４の第一の具体例を示している。同図（ａ）は廊下が十字路になっていること、同図（ｂ）は廊下がＴ字路になっていること、同図（ｃ）は廊下の途中にスペースが存在していること、同図（ｄ）は廊下が進行方向右側に折れていること、同図（ｅ）は廊下が進行方向左側に折れていることをそれぞれ示している。図８には廊下のシンボル４の第二の具体例を示しており、図８（ａ）〜（ｅ）は、図５（ａ）〜（ｅ）にそれぞれ対応している。
【００３０】
（３）図６は各種階段、スロープ、段差のシンボル４の第一の具体例を示している。同図（ａ）は階段の低い側に設けられ、上り階段の始まり又は下り階段の終わりであること、同図（ｂ）は階段の高い側に設けられ、下り階段の始まり又は上り階段の終わりであること、同図（ｃ）はスロープの低い側に設けられ、上りスロープの始まり又は下りスロープの終わりであること、同図（ｄ）はスロープの高い側に設けられ、下りスロープの始まり又は上りスロープの終わりであること、同図（ｅ）は段差の低い側に設けられ、上り段差の始まり又は下り段差の終わりであること、同図（ｆ）は段差の高い側に設けられ、下り段差の始まり又は上り段差の終わりであることをそれぞれ示している。図９は各種階段、スロープ、段差のシンボル４の第二の具体例を示しており、図９（ａ）〜（ｆ）は、図６（ａ）〜（ｆ）にそれぞれ対応している。
【００３１】
点字部５は、前記立体物又は空間の状況を表現した点字を形成してなっている。点字部５は、シンボル部３よりも反手摺利用者側に位置するように設けられている。この位置は、シンボル部３に次いで視覚障害者が指の腹で触れやすい位置となっており、立体物又は空間の状況をより詳細に又は正確に知りたいときに利用しやすい位置となっている。
【００３２】
視覚表示部６は、前記立体物又は空間の状況を表現した晴眼者向け文字又は図形（以下、「文字等」という。）を視覚で認識可能に表示してなっている。文字等を視覚で認識可能に表示する方法としては、文字等を印刷したり、文字等が表示されたシールを貼り付けたりする等の公知の方法を適宜採用することができる。視覚表示部６は、シンボル部３よりも手摺利用者側に位置するように設けられている。この位置は、晴眼者が視覚的に認識しやすい位置となっており、晴眼者が視覚障害者に対して案内部材１の使用方法や存在をガイドするとき等に利用しやすい位置となっている。
【００３３】
以上のように構成された本考案の視覚障害者用の案内部材１によれば、シンボル部３は、前記立体物又は空間の状況を表現したシンボル４を触覚で認識可能に立体的に形成してなっているので、素早く読み取ることができるとともに、点字を読解できない視覚障害者でも簡単に理解できるようにすることが可能になる。また、例えばドアの開き方やドアの回動中心の位置（左開き、右開き）等の点字では表現し難い状況（環境）を視覚障害者に触覚で伝えることができる。このように、本考案の視覚障害者用の案内部材１は、点字を読解できない者をはじめとする視覚障害者に対し、その周囲の状況を伝達できる新たな情報伝達手段である。点字を読解できない者をはじめとする視覚障害者に対し、その周囲の状況を素早く伝達することができるとともに、視覚障害者の不安感を取り除き、危険の予知に寄与することができるという優れた効果を奏する。
【００３４】
なお、本考案は前記実施形態に限定されるものではなく、例えば以下のように、考案の趣旨から逸脱しない範囲で適宜変更して具体化することもできる。
（１）シンボル４を凹部、穴、又は切欠で表現すること。
（２）シンボル部３を、プレス加工以外の他の手段（機械加工、成形加工、エッチング処理、三次元印刷、ベース部２に立体的要素を貼り付け）により形成すること。
（３）ベース部２の形状や材質を適宜変更すること。
（４）ベース部２上におけるシンボル部３、点字部５、及び視覚表示部６の互いの相対位置や配設順を適宜変更すること。
【図面の簡単な説明】
【００３５】
【図１】本考案を具体化した一実施形態に係る視覚障害者用の案内部材を示す平面図である。
【図２】同案内部材の斜視図である。
【図３】同案内部材を手摺に取り付けた状態を示す断面図である。
【図４】同案内部材のシンボル部に形成されるシンボルの第一の具体例（各種ドア）を示す平面図である。
【図５】同第一の具体例（各種廊下）を示す平面図である。
【図６】同第一の具体例（各種階段、スロープ、段差）を示す平面図である。
【図７】同案内部材のシンボル部に形成されるシンボルの第二の具体例（各種ドア）を示す平面図である。
【図８】同第二の具体例（各種廊下）を示す平面図である。
【図９】同第二の具体例（各種階段、スロープ、段差）を示す平面図である。
【符号の説明】
【００３６】
１  案内部材
２  ベース部
３  シンボル部
４  シンボル
５  点字部
６  視覚表示部
８  壁
９  手摺
【図１】
0003112483.tif 000003
【図２】
0003112483.tif 000004
【図３】
0003112483.tif 000005
【図４】
0003112483.tif 000006
【図５】
0003112483.tif 000007
【図６】
0003112483.tif 000008
【図７】
0003112483.tif 000009
【図８】
0003112483.tif 000010
【図９】
0003112483.tif 000011